(57)【要約】      （修正有）【課題】カッター工具で正確に電柱を切断できるようにした電柱切断機を提供する。【解決手段】回転刃１２が電柱に押付けられることによって電柱を切断するカッター工具１０と、該カッター工具に取付けられ、左右の各々が上下に間隔をあけて設けられた上下のプレートによって構成され、基部が相互に回転自在に軸支され、電柱に抱きつくことによって保持される左右の挟持アーム２１、２２と、上記左右の挟持アームの先端部及び基部近傍にて上下のプレートの各々に回転自在に取付けられ、上記左右の挟持アームが電柱を挟んで閉じることによって電柱に押し付けられ、上記カッター工具を電柱廻りに案内するガイドローラ２５と、上記左右の挟持アームを電柱の挟持状態に保持するための保持具と、を備える。【選択図】図１
2015096299.tif 000002
【特許請求の範囲】
【請求項１】
回転刃（１２）が電柱（５０）に押付けられることによって電柱（５０）を切断するカッター工具（１０）と、
該カッター工具（１０）に取付けられ、左右の各々が上下に間隔をあけて設けられた上下のプレートによって構成され、基部が相互に回転自在に軸支され、電柱（５０）に抱きつくことによって保持される左右の挟持アーム（２１、２２）と、
上記左右の挟持アーム（２１、２２）の先端部及び基部近傍にて上下のプレートの各々に回転自在に取付けられ、上記左右の挟持アーム（２１、２２）が電柱（５０）を挟んで閉じることによって電柱（５０）に押し付けられ、上記カッター工具（１０）を電柱（５０）廻りに案内するガイドローラ（２５）と、
上記左右の挟持アーム（２１、２２）を電柱（５０）の挟持状態に保持するための保持具（５０）と、
を備えたことを特徴とする電柱切断機。
【発明の詳細な説明】
【技術分野】
【０００１】
本発明は電柱切断機に関し、特に作業の煩雑さを招来することなく、カッター工具で正確に電柱を切断できるようにした電柱切断機に関する。
【背景技術】
【０００２】
電柱を交換し移設する場合、設置済みの電柱を撤去する必要がある。従来、クレーンで電柱を引き抜く方法が採用されていた。しかし、家屋が密集した場所では引き抜き工法は採用し難いことから、電柱を切断して撤去する方法が採用される傾向にある。
【０００３】
例えば、カッター工具に、複数のリンクの間にローラを介在させてなるホルダーを取付け、ホルダーを電柱に掛け廻して抱きつかせ、カッター工具を電柱廻りに旋回させながら電柱を切断するようにした電柱切断機が提案されている（特許文献１）。
【０００４】
また、カッター工具の回転刃の切断縁を残してカバーで回転刃を覆う一方、カッター工具に一対のアームを回転自在に軸支し、一対のアームの先端部及び基部近傍にガイドローラを取付け、一対のアームを電柱に抱きつかせ、ガイドローラによってカッター工具を電柱廻りに案内しながら、電柱を切断するようにした電柱切断機が提案されている（特許文献２）。
【先行技術文献】
【特許文献】
【０００５】
【特許文献１】実用新案登録第３１６５５６４号公報
【特許文献２】実用新案登録第３１８１３１９号公報
【発明の開示】
【発明が解決しようとする課題】
【０００６】
しかし、特許文献１記載の電柱切断機では高所においてホルダーを電柱に掛け廻すようにしていたので、作業が煩わしかった。
【０００７】
他方、特許文献２記載の電柱切断機では一対のアームで電柱を挟持すればよいので、作業の煩雑さを少ないものの、カッター工具が旋回中に下方に滑って切断の開示と終了の位置が一致せず、うまく切断できないおそれがあった。
【０００８】
本発明はかかる問題点に鑑み、作業の煩雑さを招来することなく、カッター工具で正確に電柱を切断できるようにした電柱切断機を提供することにある。
【課題を解決するための手段】
【０００９】
そこで、本発明に係る電柱切断機は、回転刃が電柱に押付けられることによって電柱を切断するカッター工具と、該カッター工具に取付けられ、左右の各々が上下に間隔をあけて設けられた上下のプレートによって構成され、基部が相互に回転自在に軸支され、電柱に抱きつくことによって保持される左右の挟持アームと、上記左右の挟持アームの先端部及び基部近傍にて上下のプレートの各々に回転自在に取付けられ、上記左右の挟持アームが電柱を挟んで閉じることによって電柱に押し付けられ、上記カッター工具を電柱廻りに案内するガイドローラと、上記左右の挟持アームを電柱の挟持状態に保持するための保持具と、を備えたことを特徴とする。
【００１０】
本発明の特徴の１つは左右の挟持アームによって電柱を挟持させてカッター工具を電柱にセットするようにした点にある。これにより、高所において、カッター工具を簡単に電柱にセットでき、作業の煩雑さを招来することがない。
【００１１】
本発明の第２の特徴は左右の挟持アームの各々を上下に間隔をあけたプレートによって構成し、左右の挟持アームの先端部及び基部近傍にて上下のプレートの各々にガイドローラを取付けるようにした点にある。これにより、左右の挟持アームが先端部及び基部近傍にて電柱に対して上下の２箇所で支持されるので、挟持アームが旋回中に下方に滑るおそれが少ない。
【００１２】
また、本発明の第３の特徴は左右の挟持アームを保持具によって電柱の挟持状態に保持するようにした点にある。これにより、挟持アームが電柱に対して弛むのを阻止して、旋回中に下方に滑るのを防止でき、カッター工具を電柱に対して正確に旋回させて正確に切断できる。
【００１３】
カッター工具は電動カッター工具でもよいが、雨天での電柱切断作業を考慮すると、エアー駆動されるエアーカッター工具を採用するのがよい。
【００１４】
電柱には大径の電柱から、小径の電柱まである。電柱切断機は径毎の専用の電柱切断機としてもよいが、コスト高になる。そこで、一対の挟持アームのガイドローラはアームに沿ってスライドし得るように軸支して構成すると、電柱の太さに応じてガイドローラをセットできるので、１種類の電柱切断機で対応できる。
【図面の簡単な説明】
【００１５】
【図１】本発明に係る電柱切断機の好ましい実施形態を示す概略平面図である。
【図２】上記実施形態のカバーを除いた平面図である。
【図３】上記実施形態において、カッター工具を外した状態を示す一部平面図である。
【図４】上記実施形態における挟持アームを示す側面図である。
【図５】上記実施形態におけるガイドローラの平面及び側面から見た状態を示す図である。
【図６】上記実施形態におけるカッター工具を示す分解斜視図である。
【発明を実施するための形態】
【００１６】
以下、本発明を図面に示す具体例に基づいて詳細に説明する。図１ないし図６は本発明の電柱切断機の好ましい実施形態を示す。図において、エアーカッター工具１０には図示しないがエアーコンプレッサーから延びるホースが接続されるとともに、取付け軸１１の廻りに回転刃、例えばダイヤモンドカッター１２が取付けられている。
【００１７】
この回転刃１２は左右のカバー１３Ａ、１３Ｂによって回転刃１２の切断縁１２Ａを残して覆われ、カバー１３Ａには排気口１３Ｃが形成され、切断の粉塵を電柱から離れる方向に排気するようになっている。左側カバー１３Ａはダイヤモンドカッター１２に対して前方に突出され、切断の粉塵を効率よく吸引するようになっている。なお、排気はフィルターを備えた吸引装置によって吸引するようにしてもよい。
【００１８】
このエアーカッター工具１０のケースには左側の挟持アーム２１が回転可能に取付けられ、左側の挟持アーム２１の基部には右側の挟持アーム２２の基部が回転軸２３によって相互に回転自在に連結され、又回転軸２３には線ばね２３Ａが装着されて左右の挟持アーム２１、２２を閉じる方向に回動付勢しており、左右の挟持アーム２１、２２は電柱５０を挟持することによって電柱５０に抱きつくようになっている。
【００１９】
このエアーカッター工具１０では図６に示されるように、段付きの取付けピン６５が下方に延びて取付けられる一方、エアーカッター工具１０のケースにはブロック状の取付けベース６０が固定され、取付けベース６０の取付け穴６４には取付けピン６５が差し込まれ、チャック６３で凹所６１が封鎖されてフック６２に引っ掛けられることによってロックされ、チャック６３が取付けピン６５の段部を係止することによって取付けピン６５が抜け止めされており、こうしてエアーカッター工具１０はケースに着脱自在にセットされている。
【００２０】
この左右の挟持アーム２１、２２は一対のプレート２１Ａを上下に配置し、両者の間に筒状スペーサー２１Ｃを介在させて固定することによって相互に所定の間隔に保持されている。
【００２１】
また、挟持アーム２１、２２には各々スライダー２４がスライド可能には取付けられ、ねじ２８によって固定可能に設けられている。このスライダー２４は側面コ字状をなし、筒状スペーサー２７によって側面コ字形状が保持され、スライダー２４の上面及び下面の先端部には各々ガイドローラ２５が回転自在に取付けられている。
【００２２】
また、挟持アーム２１の基部近傍には上下のプレート２１Ａ、２１Ｂにガイドローラ２６が各々回転自在に取付けられている。
【００２３】
さらに、左右の挟持アーム２１、２２の基部近傍には保持具３０が取付けられ、保持具３０のねじを回転・逆転させることによって右側の挟持アーム２２を左側の挟持アーム２１に対して閉じる方向に調整できるようになっている。
【００２４】
さらに、エアーカッター工具１０のケースにはアーム３５が下方に延びて設けられ、アーム３５には左右一対の下側ガイドローラ３６が回転自在に取り付けられ、電柱５０の外周面に摺接されるようになっている。なお、下側ガイドローラ３６はアーム３５をエアーカッター工具１０のケースに傾動可能に取り付けることによって必要に応じて電柱５０に摺接させ離脱させるようにしてもよく、又アーム３５をエアーカッター工具１０のケースに着脱可能に取り付けるようにしてもよい。
【００２５】
電柱５０を切断する場合、図１に示されるように、スライダー２４の位置を調整して左右の挟持アーム２１、２２を電柱５０に抱きつかせると、挟持アーム２１、２２の先端側及び基部近傍のガイドローラ２５、２６が電柱５０に押しつけられ、挟持アーム２１、２２はばね部材２３Ａの付勢力によって電柱５０に抱きついた状態となるので、保持具３０のねじを回転又は逆転させ、左右の挟持アーム２１、２２を相互に閉じる方向に調整すると、挟持アーム２１、２２がしっかりと電柱５０に保持され、同時に電柱５０には下側ガイドローラ３５も押し付けられ、エアーカッター工具１０はしっかりと電柱にセットされる。このとき、必要に応じて電柱５０の切断ラインに沿ってガイド用のベルト４０を巻き付けておくようにしてもよい。
【００２６】
次に、エアーカッター工具１０に高圧エアーを供給し、回転刃１２を回転させるが、回転刃１２は電柱５０に押し付けられているので、回転刃１２は電柱５０に沿って旋回しながら電柱５０を切断していく。切断の粉塵は第１のカバー１３Ａの排気口１３Ｃから電柱５０を離れる方向に排気される。
【００２７】
このとき、挟持アーム２１、２２は上下のガイドローラ２５、２６によって電柱５０に取付けられているので、挟持アーム２１、２２が旋回中に下方に滑ることはない。
【００２８】
また、左右の挟持アーム２１、２２を保持具３０によって電柱５０の挟持状態に保持しているので、挟持アーム２１、２２が電柱５０に対して弛むのを阻止して、旋回中に下方に滑るのを防止でき、カッター工具１０を電柱５０に対して正確に旋回させて正確に切断できる。
【００２９】
その結果、カッター工具１０の回転刃１２の切断開始の位置と終了の位置を確実に一致させることができ、切断をやり直すこともない。
【００３０】
小径の電柱を切断する場合、スライダー２４の位置を挟持アーム２１、２２の基部側にスライドさせてねじ２８で固定すればよく、後は上記と同様にして電柱５０を切断すればよい。
【符号の説明】
【００３１】
１０      エアーカッター工具
１２      回転刃
２１      左側の挟持アーム
２２      右側の挟持アーム
２５、２６々    ガイドローラ
３０      保持具
５０      電柱
【図１】
2015096299.tif 000003
【図２】
2015096299.tif 000004
【図３】
2015096299.tif 000005
【図４】
2015096299.tif 000006
【図５】
2015096299.tif 000007
【図６】
2015096299.tif 000008